(57)【特許請求の範囲】
【請求項１】
「可撓性線状体であって、本体（１１）は非使用時に巻取ってあり、これを使用時に伸長する際に本体（１１）が絡まない機能を持たせるため、本体（１１）の外面に所定の指標（２１）が複数設けられており、該指標同士を合わせるように巻き取ることで、とぐろ巻きの状態にするために、該指標（２１）の指標同士の距離（Ｌ）は（Ｌ１）＞（Ｌ２）＞（Ｌ３）＞（Ｌ４）・・・（Ｌｎ）＞（Ｌｎ＋１）であることを特徴とする可撓性線状体。」
【請求項２】
前記請求項１に同様であることを特徴とする可撓性管体。
【請求項３】
前記請求項１に同様であることを特徴とする電気コード。
【請求項４】
前記請求項１に同様であることを特徴とするテーブルタップ。
【請求項５】
前記請求項１に同様であることを特徴とするロープ。
【請求項６】
前記請求項１に同様であることを特徴とするホース。
【発明の詳細な説明】
【技術分野】
【０００１】
本発明は非使用時に巻取り収納し、使用に際して絡まないように伸長することが可能な電気コード等の可撓性線状体またはホース等の可撓性管体に関するものである。
【背景技術】
【０００２】
従来電気コード等の可撓性線状体またはホース等の可撓性管体は、非使用時には曲折または巻き取って、束ねて小さく収納している。
【０００３】
そして使用時に際しては、電気コード等の可撓性線状体またはホース等の可撓性管体を伸長する必要があるが、この時捻じれや縒れおよび結び目ができることにより絡まりが生じる場合が多く、これを矯正しながら伸長する必要があった。
【０００４】
前記の絡まりが生じる原因は、可撓性を有する長尺物であるために捻じれや縒れが無秩序に生じること、また巻線の中に先端部がくぐることにより結び目が生じると考えられる。
【０００５】
そこで、近年では電気コードの絡まり防止器具が紹介されている。本発明に関連する公知技術として次の特許文献１、２、及び３を挙げることができる。
【０００６】
【特許文献１】特開２００４−１０４９８０号公報
【特許文献２】登録実用新案第３１３１７７４号（実出２００７−１５２１）
【特許文献３】特開２００７−８５９１号公報
【発明の開示】
【発明が解決しようとする課題】
【０００７】
特許文献１に記載された延長電気コードの絡まり防止束線バンドは、延長電気コードを巻線にしながらバンドについているホルダーに順次連続して嵌め込んでいくことで束線するため、電気コードの収納時及び伸長時に煩雑な作業を伴う。
【０００８】
特許文献２に記載された電気コード巻取り具は、筒状部材の両端に電気コードを挟んで固定するための溝を有するフランジ板を有するため、使用時に電気コードを伸長した場合において電気コード巻取り具が作業性の低下を招く恐れがある。
【０００９】
特許文献３に記載された折りたためる電気コードは、かたく曲がらない電気コードに複数の可動部分をつけることを特徴としているため、製造コストが高く普及の障害となる可能性がある。
【００１０】
本発明は、このような点に鑑みてなされたものである。その目的は、非使用時に小さく収納し、使用に際して本体が絡まないように伸長することが可能な電気コード等の可撓性線状体およびホース等の可撓性管体を提供することにある。
【課題を解決するための手段】
【００１１】
可撓性線状体であって、本体（１１）の外面に所定の指標（２１）が複数設けられており、前記指標（２１）の指標間の距離（Ｌ）は（Ｌ１）＞（Ｌ２）＞（Ｌ３）＞（Ｌ４）・・・（Ｌｎ）＞（Ｌｎ＋１）であることを特徴とする。
【００１２】
一例として、前述の本体は可撓性管体である。また前述の本体は電気コード、テーブルタップ、ロープ、ホースである。
【発明の効果】
【００１３】
以上説明したように本発明によれば、電気コードやテーブルタップ、ロープ等の可撓性線状体またはホース等の可撓性管体を非使用時に小さく収納する際に本体１１を所定の指標２１同士を合わせて輪を作るように巻き取ってゆくと、指標２１は漸次短くなる間隔で設けられているためとぐろ巻きの状態になる。これにより本体１１の巻線の輪が整い、また先端部が巻線の輪の手前に出ているため、使用に際して本体が絡まないように伸長することが可能となる。
【００１４】
また本発明は、構成要素が少なく単純な構造のため安価に提供することができる。    
【発明を実施するための最良の形態】
【００１５】
以下、本発明の実施の形態を図面に基づき詳細に説明する。
【００１６】
図１、図２及び図３は、本発明の実施の形態に係る可撓性線状体の一例としてのテーブルタップの斜視図である。
【００１７】
図１に示すように、テーブルタップの本体11に１番目の指標21aが記されている。その位置は、タップ12からタップと１番目指標との距離Ｌｘを置いた位置であり、Ｌｘは適宜の長さであるが図３に示すように巻き取った後の本体11を結束バンド14等で結束する場合は短いほう（１００ｍｍ程）が好ましい。
【００１８】
２番目の指標21bは、１番目の指標21aから１番目の指標と２番目の指標との距離Ｌ１の距離を置いた位置である。１番目の指標と２番目の指標との距離Ｌ１は、収納時の巻取り線輪の中で最大の輪の円周になるので、本体11の形体や収納時の大きさ及び伸長時の引き廻し易さ等を勘案し決定するのが好ましいが、一例として図１のようなテーブルタップの場合においては７５０ｍｍ程から１２００ｍｍ程が適当である。
【００１９】
３番目の指標21cは、２番目の指標21ｂから２番目の指標と３番目の指標との距離Ｌ２の距離を置いた位置である。２番目の指標と３番目の指標との距離Ｌ２は、１番目の指標と２番目の指標との距離Ｌ１よりも小さい、その差は本体11の形体や収納時の大きさ及び伸長時の引き廻し易さ等を勘案し決定するのが好ましいが、一例として図１のようなテーブルタップの場合においては本体11の太さの３倍以上が適当である。
【００２０】
４番目の指標21dは、３番目の指標21cから３番目の指標と４番目の指標との距離Ｌ３の距離を置いた位置である。３番目の指標と４番目の指標との距離Ｌ３は、２番目の指標と３番目の指標との距離Ｌ２よりも小さい、その差は１番目の指標と２番目の指標との距離Ｌ１と２番目の指標と３番目の指標との距離Ｌ２の距離との差に等しい程である。
【００２１】
ｎ番目の指標21n、ｎ+1番目の指標21o、ｎ+2番目の指標21p、ｎ番目の指標とｎ+1番目の指標との距離Ｌｎ、ｎ+1番目の指標とｎ+2番目の指標との距離Ｌｎ+1、においての符号「ｎ」とは自然数を表す。
【００２２】
ｎ+1番目の指標21oは、ｎ番目の指標21nからｎ番目の指標とｎ+1番目の指標との距離Ｌｎの距離を置いた位置である。ｎ+2番目の指標21pは、ｎ+1番目の指標21oからｎ+1番目の指標とｎ+2番目の指標との距離Ｌｎ+1の距離を置いた位置である。ｎ+1番目の指標とｎ+2番目の指標との距離Ｌｎ+1は、ｎ番目の指標とｎ+1番目の指標との距離Ｌｎよりも小さい、その差は１番目の指標と２番目の指標との距離Ｌ１と２番目の指標と３番目の指標との距離Ｌ２の距離との差に等しい程である。
【００２３】
最後の指標21zの位置は、コンセント1３からコンセントと最後の指標との距離Ｌｙを置いた位置であり適宜の長さであるが、図１のような延長コードの場合は５０〜１００ｍｍが適当である。
【００２４】
図２に示すように、伸長している本体１１を指標２１同士を合わせるように巻き取ってゆく、この時本体１１を１回巻く毎に巻輪の向きと同じ向き⇒に１回転捻じるとより絡まりにくいが、ロープ等あらかじめ縒りがついているものを巻取る場合は捻じりの方向を縒りの方向にあわせる。
【００２５】
図３に示しているのは、巻き取った後は結束バンド１４により結束する場合である。
【図面の簡単な説明】
【００２６】
【図１】本発明の実施の形態に係るテーブルタップの伸長時の外観斜視図である。
【図２】本発明の実施の形態に係るテーブルタップの巻取り時の外観斜視図である。
【図３】本発明の実施の形態に係るテーブルタップの結束時の外観斜視図である。
【符号の説明】
【００２７】
11，    テーブルタップ本体
12，    プラグ
13，    タップ
14，    結束バンド
21，    指標
21a，   １番目の指標
21b，   ２番目の指標
21c，   ３番目の指標  
21d，   ４番目の指標
21n，   ｎ番目の指標
21o，   ｎ+1番目の指標
21p，   ｎ+2番目の指標
21z，   最後の指標
Ｌ，    指標間の距離
Ｌ１，  １番目の指標と２番目の指標との距離
Ｌ２，  ２番目の指標と３番目の指標との距離
Ｌ３，  ３番目の指標と４番目の指標との距離
Ｌｎ，  ｎ番目の指標とｎ+1番目の指標との距離
Ｌｎ+1，ｎ+1番目の指標とｎ+2番目の指標との距離
Ｌｘ，  タップと１番目の指標との距離
Ｌｙ，  コンセントと最後の指標との距離
⇒      巻取り方向、捻じり方向
【要約】
【課題】巻き取り束ねて小さく収納している電気コード等の可撓性線状体およびホース等の可撓性管体に、使用時において捩れや縒れ及び結び目ができることにより絡まりが生じることなく伸長ができる機能を持たせる。
【解決手段】可撓性線状体および可撓性管体であって、本体（１１）の外面に所定の指標（２１）が複数設けられており、前記指標（２１）の指標間の距離（Ｌ）は（Ｌ１）＞（Ｌ２）＞（Ｌ３）＞（Ｌ４）・・・（Ｌｎ）＞（Ｌｎ＋１）であることを特徴とする。
【選択図】図１【図１】
0004318229.tif 000002
【図２】
0004318229.tif 000003
【図３】
0004318229.tif 000004